(57)【要約】【課題】運転を行ったままフィルタの掃除を良好に行うことができる電気機器および投写型表示装置を提供する。【解決手段】プロジェクタは、キャビネット１０内に空気を取り込み、液晶パネル２０３、２０４、２０５に供給するパネル冷却ファン６１と、パネル冷却ファン６１を制御する制御部８０１と、キャビネット１０内に取り込まれる空気から埃を除去するフィルタ４０２と、フィルタ４０２に付着した埃を除去する清掃機構５０とを備えている。ここで、制御部８０１は、清掃機構５０の動作時にフィルタ４０２への吸気量が低下するよう、パネル冷却ファン６１の回転数を低下させる。【選択図】図５
2011257518.tif 000002
【特許請求の範囲】
【請求項１】
電気機器において、
機器本体内に空気を取り込むための吸気装置と、
前記吸気装置を制御する制御部と、
前記機器本体に取り込まれる空気から不要物を除去するフィルタと、
前記フィルタに付着した不要物を除去する除去装置と、を備え、
前記制御部は、前記除去装置の動作時に前記フィルタへの吸気量が低下するよう、前記吸気装置を制御する、
ことを特徴とする電気機器。
【請求項２】
請求項１に記載の電気機器において、
前記吸気装置は、吸気ファンを含み、
前記制御部は、前記除去装置の動作時に前記吸気ファンの回転数を低下させる、
ことを特徴とする電気機器。
【請求項３】
請求項１または２に記載の電気機器において、
前記吸気装置は、取り込んだ空気を前記機器本体内に配された発熱部品に供給し、前記発熱部品を冷却する、
ことを特徴とする電気機器。
【請求項４】
請求項１ないし３の何れか一項に記載の電気機器において、
前記制御部は、前記除去装置の動作が終了すると、前記除去装置の動作前よりも前記機器本体内への吸気量が増加するよう、前記吸気装置を制御する、
ことを特徴とする電気機器。
【請求項５】
請求項４に記載の電気機器において、
前記吸気装置は、吸気ファンを含み、
前記制御部は、前記除去装置の動作が終了すると、前記除去装置の動作前よりも前記吸気ファンの回転数を増加させる、
ことを特徴とする電気機器。
【請求項６】
投写型表示装置において、
機器本体内に空気を取り込むための吸気装置と、
前記吸気装置を制御する制御部と、
前記機器本体に取り込まれる空気から不要物を除去するフィルタと、
前記フィルタに付着した不要物を除去する除去装置と、を備え、
前記制御部は、前記除去装置の動作時に前記フィルタへの吸気量が低下するよう、前記吸気装置を制御する、
ことを特徴とする投写型表示装置。
【発明の詳細な説明】
【技術分野】
【０００１】
本発明は、フィルタを備える電気機器および投写型表示装置に関する。
【背景技術】
【０００２】
プロジェクタやエアコン、空気清浄機など、機器内へ外気を取り込む電気機器では、一般に、外気に含まれる不要物（塵、埃など）を取り除くため、吸気口にフィルタが着脱可能に配される。
【０００３】
フィルタの吸気面には、フィルタを通過できない不要物が付着し、フィルタは、やがて目詰まりを起こす。こうなると、機器本体内への吸気が適正に行われなくなる。ユーザは、フィルタを掃除して、付着した不要物を除去する必要がある。
【０００４】
フィルタの掃除は、ユーザにとって手間となる。そこで、かかる電気機器において、ユーザの手間を軽減すべく、フィルタに付着した不要物を自動的に除去する除去装置が用いられ得る（特許文献１、特許文献２参照）。たとえば、除去装置は、回転するブラシがフィルタの吸気面側を移動し、付着した不要物を掻き落とすような構成とされ得る。
【先行技術文献】
【特許文献】
【０００５】
【特許文献１】特開２００９−０８２８３７号公報
【特許文献２】特開２００８−１７０８０８号公報
【発明の概要】
【発明が解決しようとする課題】
【０００６】
上記のように、フィルタを自動的に掃除する構成とした場合、電気機器の稼働効率が低下しないよう、電気機器の運転を行ったままフィルタの掃除を行うことが考えられる。
【０００７】
しかしながら、この場合、フィルタには吸気による吸引力が生じたままとなるため、付着した不要物がフィルタから離れにくくなる。こうなると、除去装置による不要物の除去が良好に行われなくなる惧れがある。
【０００８】
本発明は、かかる課題に鑑みてなされたものであり、運転を行ったままフィルタの掃除を良好に行うことができる電気機器および投写型表示装置を提供することを目的とする。
【課題を解決するための手段】
【０００９】
本発明の第１の態様は、電気機器に関する。本態様に係る電気機器は、機器本体内に空気を取り込むための吸気装置と、前記吸気装置を制御する制御部と、前記機器本体に取り込まれる空気から不要物を除去するフィルタと、前記フィルタに付着した不要物を除去する除去装置とを備える。ここで、前記制御部は、前記除去装置の動作時に前記フィルタへの吸気量が低下するよう、前記吸気装置を制御する。
【００１０】
たとえば、前記吸気装置は、吸気ファンを含み得る。この場合、前記制御部は、前記除去装置の動作時に前記吸気ファンの回転数を低下させる。
【００１１】
本発明の第１の態様に係る電気機器によれば、除去装置が動作する際には、フィルタに生じる吸引力が小さくなるので、フィルタに付着した不要物が離れやすくなる。したがって、除去装置によって、フィルタに付着した不要物を良好に除去することができる。
【００１２】
第１の態様に係る電気機器において、前記吸気装置は、取り込んだ空気を前記機器本体内に配された発熱部品に供給し、前記発熱部品を冷却する構成とされ得る。
【００１３】
このような構成とすれば、吸気量は低下しつつも吸気動作は継続され、発熱部品の冷却は継続されるので、発熱部品の過熱を抑制することができる。
【００１４】
また、このような構成とした場合、さらに、前記制御部は、前記除去装置の動作が終了すると、前記除去装置の動作前よりも前記機器本体内への吸気量が増加するよう、前記吸気装置を制御する構成とされ得る。
【００１５】
たとえば、前記吸気装置が、吸気ファンを含む場合、前記制御部は、前記除去装置の動作が終了すると、前記除去装置の動作前よりも前記吸気ファンの回転数を増加させる。
【００１６】
このような構成とすれば、除去装置の動作時には、吸気量が低下するので発熱部品の温度が上昇しやすくなるが、除去装置の動作が終了した後は、動作前よりも吸気量が増加されるため、温度上昇した発熱部品を迅速に冷却することができる。
【００１７】
本発明の第２の態様は、投写型表示装置に関する。本態様に係る投写型表示装置は、機器本体内に空気を取り込むための吸気装置と、前記吸気装置を制御する制御部と、前記機器本体に取り込まれる空気から不要物を除去するフィルタと、前記フィルタに付着した不要物を除去する除去装置とを備える。ここで、前記制御部は、前記除去装置の動作時に前記フィルタへの吸気量が低下するよう、前記吸気装置を制御する。
【００１８】
本発明の第２の態様に係る投写型表示装置によれば、第１の態様と同様、除去装置によって、フィルタに付着した埃等を良好に除去することができる。
【発明の効果】
【００１９】
以上のとおり、本発明によれば、運転を行ったままフィルタの掃除を良好に行うことができる電気機器および投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す外観斜視図である。
【図２】実施の形態に係る光学エンジンの構成を示す図である。
【図３】実施の形態に係る内カバーおよび清掃機構の構成を示す図である。
【図４】実施の形態に係る内カバーおよび清掃機構の構成を示す図である。
【図５】実施の形態に係るプロジェクタの構成を示すブロック図である。
【図６】実施の形態に係るフィルタの自動清掃制御について説明するための図である。
【図７】変更例に係るフィルタの自動清掃制御について説明するための図である。
【発明を実施するための形態】
【００２２】
以下、図面を参照して、本発明の実施の形態について説明する。
【００２３】
図１は、プロジェクタの構成を示す外観斜視図である。図１（ａ）は、プロジェクタを斜め上方から見た斜視図であり、図１（ｂ）は、プロジェクタを上下逆さまにして斜め上
方から見た斜視図である。
【００２４】
図１を参照して、プロジェクタは、横長の略直方体形状を有するキャビネット１０を備えている。キャビネット１０には、前面中央に投写窓１０１が形成されている。また、キャビネット１０の底面には、四隅に脚部１０２が設けられているとともに、左側面寄りの位置に、多数の孔からなる吸気口１０３が形成されている。さらに、キャビネット１０の右側面には、多数の孔からなる排気口１０４が形成されている。
【００２５】
キャビネット１０の内部には、光学エンジン２０および投写レンズ３０が配されている。光学エンジン２０は、ランプからの光を映像信号に基づいて変調することにより映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーンに拡大投写する。
【００２６】
図２は、光学エンジン２０の構成を示す図である。
【００２７】
図２に示すように、光学エンジン２０は、ランプ２０１と、導光光学系２０２と、３つの透過型の液晶パネル２０３、２０４、２０５と、ダイクロイックプリズム２０６とを備えている。なお、液晶パネル２０３、２０４、２０５の入射側と出射側には図示しない偏光板が配されている。
【００２８】
ランプ２０１は、たとえば、メタルハライドランプやキセノンランプである。ランプ２０１から出射された白色光は、導光光学系２０２によって赤色波長帯の光（以下、「Ｒ光」という）と、緑色波長帯の光（以下、「Ｇ光」という）と、青色波長帯の光（以下、「Ｂ光」という）に分離され、液晶パネル２０３、２０４、２０５に照射される。これら液晶パネル２０３、２０４、２０５によって変調されたＲ光、Ｇ光、Ｂ光は、ダイクロイックプリズム２０６によって色合成され、映像光として出射される。
【００２９】
なお、光学エンジン２０を構成する光変調素子としては、上記透過型の液晶パネル２０３、２０４、２０５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３０】
図１に戻り、キャビネット１０内には、内側から吸気口１０３を覆う内カバー４０が装着されている。内カバー４０の内部には、清掃機構５０（図３、図４に図示）が配置されている。
【００３１】
図３および図４は、内カバー４０および清掃機構５０の構成を示す図である。図３は、内カバー４０がキャビネット１０の底面に装着される前の内カバー４０および清掃機構５０の斜視図である。図４（ａ）は、内カバー４０がキャビネット１０に装着された状態での、前方から見た左右方向に沿う縦断面図である。また、図４（ｂ）は、内カバー４０がキャビネット１０に装着された状態での、右方から見た前後方向に沿う縦断面図である。
【００３２】
図３および図４を参照して、内カバー４０の上面には、取込口４０１が形成されている。また、内カバー４０の上面裏側には、取込口４０１を覆うように、フィルタ４０２が取り外し可能に装着されている。フィルタ４０２は、たとえば、樹脂製の糸をメッシュ状に編むことにより構成されている。この他、フィルタ４０２は、ウレタンや不織布によって構成されても良い。内カバー４０は、その四隅に設けられた取付部４０３が、キャビネット１０の底面に設けられたボス部（図示せず）にネジ止されることにより、キャビネット
１０の底面に固定される。
【００３３】
後述する各冷却ファンが回転すると、図４（ａ）に示すように、吸気口１０３から外気が取り込まれる。取り込まれた空気は、フィルタ４０２を通って取込口４０１からキャビネット１０内に流入する。このとき、空気中に含まれた埃や塵は、フィルタ４０２を通過できず、フィルタ４０２の吸気面４０２ａに付着する。
【００３４】
フィルタ４０２の吸気面４０２ａに付着した埃を除去するため、内カバー４０の内部には、清掃機構５０が設けられている。
【００３５】
清掃機構５０は、円筒状の回転ブラシ５０１を備えている。回転ブラシ５０１は、ダストボックス５０２内において、シャフト５０３によって回転自在に支持されている。ダストボックス５０２には、上面に開口５０２ａが形成されており、この開口５０２ａから回転ブラシ５０１の一部が上方に露出している。また、ダストボックス５０２の上面には、開口５０２ａの前後両側にガイド片５０２ｂが突出形成されている。
【００３６】
ダストボックス５０２から突き出たシャフト５０３の前端部および後端部には、それぞれ、ギア５０４、５０５が取り付けられている。シャフト５０３の後端は、モータ５０６に連結されている。モータ５０６は、ダストボックス５０２の上面から後方に延び出した取付板５０２ｃに、図示しない取付金具によって固定される。
【００３７】
吸気口１０３の前方および後方には、左右方向に沿ってラック５０７、５０８が配置されており、ギア５０４、５０５が、それぞれ、ラック５０７、５０８に係合している。また、図４（ｂ）に示すように、内カバー４０には、フィルタ４０２を挟んで、２つのガイド溝４０４が左右方向に沿って形成されており、内カバー４０がキャビネット１０に装着されると、ガイド片５０２ｂがガイド溝４０４に挿入される。
【００３８】
こうして、回転ブラシ５０１がラック５０７、５０８の右端にある状態において、モータ５０６が駆動され、シャフト５０３が図４（ａ）の反時計方向に回転すると、回転ブラシ５０１が、反時計方向に回転しながら、ダストボックス５０２とともに左方向に移動する。また、回転ブラシ５０１がラック５０７、５０８の左端に到達すると、モータ５０６が逆方向に駆動され、シャフト５０３が図４（ａ）の時計方向に回転する。これにより、回転ブラシ５０１が、時計方向に回転しながら、ダストボックス５０２とともに右方向に移動する。回転ブラシ５０１のブラシ先端（周面）は、フィルタ４０２の吸気面４０２ａに接触するよう構成されており、回転ブラシ５０１が左右方向に往復運動すると、ブラシ先端でフィルタ４０２に付着した埃が掻き落される。掻き落された埃は、図４（ａ）の一点鎖線の矢印に示す如く、ダストボックス５０２内に収容され、その底部に溜められる。
【００３９】
なお、モータ５０６へ通電するための電力線（図示せず）は、モータ５０６ともに左右に移動できるような構成にて、モータ５０６に接続されている。
【００４０】
図５は、プロジェクタの構成を示すブロック図である。
【００４１】
プロジェクタは、上述した構成に加えて、パネル冷却ファン６１、ランプ冷却ファン６２および電源冷却ファン６３の３つの冷却ファンと、排気ファン６４と、報知部７０と、制御回路部８０と、目詰まりセンサ９０とを備えている。
【００４２】
パネル冷却ファン６１は、内カバー４０１の取込口４０１に連結されたファンケーシング（図示せず）内に配置されおり、取込口４０１から取り込んだ空気を、液晶パネル２０３、２０４、２０５の近傍に配された吹出口（図示せず）から噴出させ、液晶パネル２０
３、２０４、２０５を冷却する。
【００４３】
ランプ冷却ファン６２は、液晶パネル２０３、２０４、２０５を冷却した後の空気を取り込み、ランプ２０１へ供給してランプ２０１を冷却する。電源冷却ファン６３は、液晶パネル２０３、２０４、２０５を冷却した後の空気を取り込み、電源部（図示せず）へ供給して電源部を冷却する。
【００４４】
なお、ランプ冷却ファン６２および電源冷却ファン６３の近傍に、それぞれ、各ファン専用の吸気口が形成されても良く、この場合、液晶パネル２０３、２０４、２０５側からの空気とともに専用の吸気口からの外気が各ファン６２、６３取り込まれ、ランプ２０１や電源部に供給される。
【００４５】
排気ファン６４は、排気口１０４の近傍に配されており、液晶パネル２０３、２０４、２０５、ランプ２０１、電源部等を冷却して温まった空気を取り込んで、排気口１０４から機外へ排出する。
【００４６】
報知部７０は、ＬＥＤなどの表示素子やスピーカによって構成されており、フィルタカセット４０の交換を促すなど、プロジェクタの運転に関する各種の報知を行う。
【００４７】
制御回路部８０は、制御部８０１、記憶部８０２、操作入力部８０３、リモコン受信部８０４、時間計測部８０５、映像信号入力部８０６、映像信号処理部８０７、パネル駆動部８０８、ファン駆動部８０９、ランプ駆動部８１０、報知駆動部８１１、モータ駆動部８１２を備えている。
【００４８】
操作入力部８０３は、操作部（図示せず）のボタン操作に応じた入力信号を制御部８０１に出力する。リモコン受信部８０４は、リモコン（図示せず）のボタン操作に応じた入力信号を制御部８０１に出力する。時間計測部８０５は、時間を計測して制御部８０１に出力する。
【００４９】
映像信号入力部８０６は、ＲＢＧ信号、コンポジット信号等の各種映像信号に対応する各種入力端子を有し、外部から入力された映像信号を映像信号処理部８０７へ出力する。映像信号処理部８０７は、映像信号入力部８０６から入力された映像信号を液晶パネル２０３、２０４、２０５で表示できるＲＧＢの映像信号に変換してパネル駆動部８０８に出力する。パネル駆動部８０８は、入力された映像信号および制御部８０１からの制御信号に従って液晶パネル２０３、２０４、２０５を駆動する。
【００５０】
ファン駆動部８０９は、制御部８０１からの制御信号に従って、パネル冷却ファン６１、ランプ冷却ファン６２、電源冷却ファン６３および排気ファン６４を駆動する。ランプ駆動部８１０は、制御部８０１からの制御信号に従ってランプ２０１を駆動する。
【００５１】
報知駆動部８１１は、制御部８０１からの制御信号に従って報知部６０のＬＥＤやスピーカを駆動する。モータ駆動部８１２は、制御部８０１からの制御信号に従って、モータ５０６を駆動する。
【００５２】
記憶部８０２は、ＲＡＭ、ＲＯＭ等で構成されている。記憶部８０２には、制御部８０１に制御機能を付与するための制御プログラムが記憶されている。制御部８０１は、ＣＰＵを備え、かかる制御プログラムに従って各部を制御する。
【００５３】
目詰まりセンサ９０は、フィルタ４０２の目詰まり具合に応じた目詰まり信号を制御部８０１に出力する。目詰まりセンサ９０は、たとえば、風量センサによって構成される。
風量センサは、たとえば、取込口４０１の下流側に配される。この場合、フィルタ４０２の目詰まりが進行すると、取込口４０１を通過する風量が低下する。風量センサからは、目詰まり検出信号として、風量に応じた検出電圧が出力される。
【００５４】
さて、本実施の形態では、プロジェクタの運転が開始されると、各冷却ファン６１、６２、６３が駆動され、キャビネット１０内への吸気が開始される。運転中はフィルタ４０２の目詰まり具合が検出され、フィルタ４０２が目詰まりを起こすと、清掃機構５０によって、フィルタ４０２が自動的に掃除される。
【００５５】
図６は、フィルタ４０２を自動清掃するための自動清掃制御について説明するための図である。図６（ａ）は、自動清掃制御の処理フローを示す図である。図６（ｂ）は、自動清掃制御が実行されたときのパネル冷却ファン６１への駆動電圧の状態を示す図である。
【００５６】
図６（ａ）を参照して、制御部８０１は、目詰まりセンサ９０から目詰まり検出信号（検出電圧）を取得する（Ｓ１０１）。そして、取得した目詰まり検出信号と、予め定められた目詰まり閾値とを比較する（Ｓ１０２）。
【００５７】
フィルタ４０２が詰まりを起こしておらず、目詰まり検出信号が目詰まり閾値より大きければ（Ｓ１０２：ＮＯ）、制御部８０１は、運転終了操作がなされて運転が終了するまで（Ｓ１０６：ＹＥＳ）、目詰まり検出信号を取得して目詰まり閾値と比較するという、一連の処理を繰り返す。
【００５８】
一方、フィルタ４０２が目詰まりを起こして、目詰まり検出信号が目詰まり閾値以下になると（Ｓ１０２：ＹＥＳ）、制御部８０１は、フィルタ４０２の掃除を開始する。
【００５９】
制御部８０１は、まず、図６（ｂ）に示すように、掃除開始のタイミング（Ｔ１）において、パネル冷却ファン６１への駆動電圧を低下させて（電圧Ｖ１→Ｖ２）、パネル冷却ファン６１の回転数を低下させる（Ｓ１０３）。これにより、吸気口１０３からの吸気量が低下し、これに伴ってフィルタ４０２を通過する風量が低下する。
【００６０】
次に、制御部８０１は、清掃機構５０のモータ５０６を駆動し、回転ブラシ５０１によってフィルタ４０２の吸気面４０２ａに付着した埃を除去する（Ｓ１０４）。このとき、フィルタ４０２を通過する風量が少なくなっているため、吸気によるフィルタ４０２への埃の吸引力も弱くなっている。したがって、フィルタ４０２に付着した埃が回転ブラシ５０１によって容易に掻き落される。フィルタ４０２が掃除されると、フィルタ４０２の目詰まりが解消される。
【００６１】
制御部８０１は、フィルタ４０２の掃除が終了すると、図６（ｂ）に示すように、掃除終了のタイミング（Ｔ２）において、パネル冷却ファン６１への駆動電圧を増加させて（電圧Ｖ２→Ｖ１）、パネル冷却ファン６１の回転数を元に戻す（Ｓ１０５）。これにより、吸気口１０３からの吸気量が増加する。このとき、フィルタ４０２の目詰まりが解消されているので、吸気量はフィルタ４０２が掃除される前よりも多くなる。
【００６２】
制御部８０１は、ステップＳ１０６において、運転終了操作がなされたと判定すると（Ｓ１０６：ＹＥＳ）、処理を終了する。
【００６３】
このように、本実施の形態では、フィルタ４０２が目詰まりを起こすと、清掃機構５０によって自動的にフィルタ４０２が掃除される。よって、ユーザは、フィルタ４０２を掃除する手間がいらない。しかも、フィルタ４０２の掃除は、運転を継続したままで行われるので、ユーザは、プロジェクタの使用を中断しなくてよい。したがって、プロジェクタ
の利便性を高めることができる。
【００６４】
しかも、本実施の形態では、フィルタ４０２が掃除される際には、吸気口１０３からの吸気量が低下するので、フィルタ４０２に生じる吸引力が小さくなり、フィルタ４０２に付着した埃が離れやすくなる。したがって、清掃機構５０によって、フィルタ４０２に付着した埃を良好に除去することができる。
【００６５】
また、本実施の形態では、フィルタ４０２の掃除中も、吸気量は低下するものの、パネル冷却ファン６１および他の冷却のファン６２、６３による吸気動作が継続される。これにより、液晶パネル２０３、２０４、２０５等、発熱部品の冷却が継続されるので、これら発熱部品の過熱を抑制することができる。
【００６６】
なお、本実施の形態では、３つの冷却ファン６１、６２、６３のうち、取込口４０１、即ち吸気口１０３に直接連結されたパネル冷却ファン６１の吸気動作が、吸気口１０３からの吸気量に大きく寄与する。このため、本実施の形態では、フィルタ４０２が掃除される際には、パネル冷却ファン６１の回転数のみが低下される。しかしながら、パネル冷却ファン６１の回転数だけでなく、適宜、ランプ冷却ファン６２や電源冷却ファン６３の回転数が低下されても良い。また、パネル冷却ファン６１に合わせて、排気ファン６４の回転数が低下されても良い。排気ファン６４の回転数が低下すると、キャビネット１０内の内圧が増すため、吸気量が低下する。
【００６７】
＜変更例＞
図７は、変更例に係るフィルタの自動清掃制御について説明するための図である。図７（ａ）は、自動清掃制御の処理フローを示す図である。図７（ｂ）は、自動清掃制御が実行されたときのパネル冷却ファン６１への駆動電圧の状態を示す図である。
【００６８】
本変更例では、図６（ａ）の制御処理に対して、ステップＳ１０７の処理が付加されている。即ち、本変更例では、フィルタ４０２の掃除が終了すると、制御部８０１は、図７（ｂ）に示すように、掃除終了のタイミング（Ｔ２）において、パネル冷却ファン６１への駆動電圧を掃除前よりも増加させて（電圧Ｖ２→Ｖ０）、パネル冷却ファン６１の回転数を掃除前よりも増加させる（Ｓ１０７）。これにより、パネル冷却ファン６１が掃除前の回転数に戻された状態よりも、吸気口１０３からの吸気量が増加する。
【００６９】
フィルタ４０２の掃除中は、吸気量が低下するため、液晶パネル２０３、２０４、２０５の温度が掃除前よりも上昇しやすくなる。しかし、このように、フィルタ４０２の掃除後に吸気量を増加させることにより、液晶パネル２０３、２０４、２０５の温度を、迅速に低下させることができる。
【００７０】
制御部８０１は、パネル冷却ファン６１の回転数を増加させた後に、所定の時間が経過すると（図７（ｂ）；Ｔ３）、パネル冷却ファン６１の回転数を掃除前の回転数に戻す（Ｓ１０５）。
【００７１】
なお、掃除中、ランプ冷却ファン６２および電源冷却ファン６３の回転数は低下されないが、吸気口１０３からの吸気量が低下するので、ランプ２０１や電源への風量も多少低下する。よって、掃除後、パネル冷却ファン６１に合わせて、これら冷却ファン６２、６３の回転数を増加させるようにしても良い。
【００７２】
＜その他＞
以上、本実施の形態について説明したが、本発明は上記実施の形態に何ら制限されるものではなく、また、本発明の実施形態も、上記実施の形態に以外に、種々の変更が可能で
ある。
【００７３】
たとえば、上記実施の形態では、フィルタ４０２の目詰まり検出に基づいて、フィルタ４０２が掃除されるよう構成されている。しかしながら、これに限らず、運転時間が所定の時間に到達すると、フィルタ４０２が掃除されるような構成とされても良い。
【００７４】
また、上記実施の形態では、フィルタ４０２の掃除中、パネル冷却ファン６１への駆動電圧が一定とされ、パネル冷却ファン６１の回転数がほぼ一定されている。しかしながら、パネル冷却ファン６１の回転数が一定である場合には、フィルタ４０２が掃除されて付着する埃等が少なくなるほど、吸気量が増加してくる。そこで、掃除の進行に応じて、パネル冷却ファン６１の回転数を連続的、あるいは段階的に低下させるようにしても良い。このように、掃除の進行に合わせて、回転数を徐々に低下させるようにすれば、掃除開始当初から大きく回転数を低下させなくて済むので、吸気量の低下を極力抑えることが可能となる。これにより、フィルタ清掃中の液晶パネル２０３、２０４、２０５等の発熱部品の温度上昇を極力抑えることが可能となる。
【００７５】
さらに、上記実施の形態では、目詰まり検出信号が目詰まり閾値以下になると、すぐにフィルタ４０２の掃除が開始される構成とされている。しかしながら、これに限らず、目詰まり検出信号が目詰まり閾値以下になる度に、パネル冷却ファン６１の回転数が増加され（吸気量が増やされ）、パネル冷却ファン６１の回転数が所定の上限回転数に達した状態で、目詰まり検出信号が目詰まり閾値以下になったときに、初めて、フィルタ４０２の掃除が開始される構成とされても良い。この場合、フィルタ４０２が掃除される際には、パネル冷却ファン６１の回転数は、初期の回転数（目詰まり具合に応じて徐々に回転数が増加される前の回転数）より低い回転数まで低下される。そして、フィルタ４０２の掃除が終了すると、パネル冷却ファン６１の回転数が、上限回転数ではなく、初期の回転数に戻される。なお、上限回転数は、パネル冷却ファン６１の駆動音や温度上昇を考慮して設定され得る。
【００７６】
また、パネル冷却ファン６１が、複数のファンにより構成される場合には、吸気量を低下させるために、全てのファンの回転数を低下させても良いし、一部のファンの回転数を低下させる、あるいは、一部のファンを停止させるようにしても良い。
【００７７】
さらに、このとき、各ファンが、それぞれ、異なる液晶パネルを冷却する場合には、以下のようにファンを制御することが望ましい。即ち、全てのファンの回転数を低下させる場合には、発熱量の少ない液晶パネルに対するファンほど、その回転数を低下させるようにすることが望ましい。一方、一部のファンについて、回転数を低下させる、あるいは停止させる場合には、発熱量の少ない液晶パネルに対するファンの回転数を低下させる、あるいは、そのファンを停止させることが望ましい。
【００７８】
また、上記変更例では、フィルタ４０２の掃除前よりも増加されたパネル冷却ファン６１の回転数が、所定の時間が経過した後に、掃除前の回転数に戻されるよう構成されている。しかしながら、これに限らず、液晶パネル２０３、２０４、２０５の温度が温度センサにより検出され、液晶パネル２０３、２０４、２０５温度が掃除前の温度に戻ると、パネル冷却ファン６１の回転数が掃除前の回転数に戻されるようにしても良い。
【００７９】
さらに、上記実施の形態では、目詰まりセンサ９０として、風量センサが用いられているが、これに限らず、温度センサが用いられてもよい。この場合、たとえば、温度センサによって、液晶パネル２０３、２０４、２０５やランプ２０１の温度が測定され得る。フィルタ４０２が目詰まりを起こして吸気量が低下すると、パネル用冷却ファン６１やランプ冷却ファン６２の冷却能力が低下するため、温度センサによる測定温度が上昇する。温
度センサからは、測定温度に応じた検出信号（検出電圧）が制御部８０１へ出力される。
【００８０】
また、上記実施の形態では、本発明をプロジェクタに適用しているが、これに限らず、本発明を、エアコンや空気清浄機など、フィルタを有する他の電気機器に適用するようにしてもよい。
【００８１】
この他、本発明の実施の形態は、特許請求の範囲に示された技術的思想の範囲内において、適宜、種々の変更が可能である。
【符号の説明】
【００８２】
２０  光学エンジン
２０３、２０４、２０５  液晶パネル（発熱部品）
４０  内カバー
４０２  フィルタ
５０  清掃機構（除去装置）
６１  パネル冷却ファン（吸気装置、吸気ファン）
８０  制御回路部
８０１  制御部
【図１】
2011257518.tif 000003
【図２】
2011257518.tif 000004
【図３】
2011257518.tif 000005
【図４】
2011257518.tif 000006
【図５】
2011257518.tif 000007
【図６】
2011257518.tif 000008
【図７】
2011257518.tif 000009